(57)【特許請求の範囲】
【請求項１】
複数の電気接点を含み、ケーブルの接続のためのコネクタ要素のプラグを受け入れるレセプタクルを各々が含む１つ又はそれよりも多くの適応可能ポートを含む１つ又はそれよりも多くのポートと、
前記１つ又はそれよりも多くの適応可能ポートで１つ又はそれよりも多くの接続されたマルチメディアデータソースから受信したマルチメディアデータを含むデータを処理する適応可能ポートデバイスであって、
前記１つ又はそれよりも多くの適応可能ポートに接続された各々のマルチメディアデータソースのマルチメディア信号フォーマットを検出し、かつ
現在接続されている前記適応可能ポートの各々を、前記接続されたマルチメディアデータソースの前記検出されたマルチメディア信号フォーマットに適合するように適応させる、
ように作動可能である前記適応可能ポートデバイスと、
前記１つ又はそれよりも多くの適応可能ポートの各々のための信号フォーマット検出器およびスイッチであって、
適応可能ポートのための該信号フォーマット検出器は、該適応可能ポートで受信したデータに対するマルチメディア信号フォーマットを検出し、
該スイッチは、該検出されたマルチメディア信号フォーマットの種類に基づいて該データを複数の要素の１つに転送する、
前記信号フォーマット検出器および前記スイッチと、を含み、
前記複数の要素は、第１のマルチプレクサと第２のマルチプレクサとを含み、前記１つ又はそれよりも多くの適応可能ポートの各々のスイッチは、前記適応可能ポートからのマルチメディアデータが第１種のものである場合に前記データを前記第１のマルチプレクサに転送し、前記適応可能ポートからのマルチメディアデータが第２種のものである場合に前記データを前記第２のマルチプレクサに転送し、
前記第１のマルチプレクサは、アナログマルチメディア信号フォーマットを有する前記第１種のマルチメディアデータを多重化するためのアナログマルチプレクサであり、前記第２のマルチプレクサは、デジタルマルチメディア信号フォーマットを有する前記第２種のマルチメディアデータを多重化するためのデジタルマルチプレクサであることを特徴とする装置。
【請求項２】
前記１つ又はそれよりも多くの適応可能ポートの各々が、同じレセプタクルタイプを有することを特徴とする請求項１に記載の装置。
【請求項３】
前記レセプタクルタイプは、マルチメディアデータの受信と送信のための標準レセプタクルであることを特徴とする請求項２に記載の装置。
【請求項４】
前記レセプタクルタイプは、高精細マルチメディアインタフェース（Ｒ）に適合するレセプタクルであることを特徴とする請求項３に記載の装置。
【請求項５】
前記適応可能ポートデバイスは、前記１つ又はそれよりも多くの適応可能ポートの各々で受信したマルチメディアデータを供給する、接続されたマルチメディアデータソースのマルチメディア信号フォーマットを以下の検出処理、すなわち、
コネクタのキーイングの検出と、
マルチメディア信号フォーマットの間接電気的検出と、
前記コネクタの１つ又はそれよりも多くの接点の事前係合と、
のうちの１つ又はそれよりも多くを用いて検出するためのものであることを特徴とする請求項１に記載の装置。
【請求項６】
前記１つ又はそれよりも多くのポートは、１つ又はそれよりも多くの非適応可能ポートを更に含み、
前記適応可能ポートデバイスは、前記１つ又はそれよりも多くの非適応可能ポートを適応させないことを特徴とする請求項１に記載の装置。
【請求項７】
前記１つ又はそれよりも多くのポートは、マルチメディアデータの出力を供給する１つ又はそれよりも多くのポートを更に含むことを特徴とする請求項１に記載の装置。
【請求項８】
マルチメディアデータの出力を供給する前記１つ又はそれよりも多くのポートは、双方向ポートであり、該双方向ポートは、マルチメディアデータの入力と出力の両方を可能にすることを特徴とする請求項７に記載の装置。
【請求項９】
前記適応可能ポートデバイスから受信したマルチメディアデータを処理するマルチメディアプロセッサを更に含むことを特徴とする請求項１に記載の装置。
【請求項１０】
１つ又はそれよりも多くの適応可能ポートを含む１つ又はそれよりも多くのポートを有するデバイスのためのレセプタクル内のケーブルの接続のためのコネクタ要素を通じて第１の適応可能ポートでマルチメディアデータを含むデータを受信する処理と、
前記第１の適応可能ポートに接続された第１のマルチメディアデータソースのマルチメディア信号フォーマットを検出する処理と、
前記検出されたマルチメディア信号フォーマットの種類に基づいて、受信したデータを複数の要素のうちの１つに転送するように前記第１の適応可能ポートを切り替えることを含む、前記第１のマルチメディアデータソースの前記検出されたマルチメディア信号フォーマットに従って前記第１の適応可能ポートを適応させる処理と、
が実行される方法であって、
前記複数の要素は、第１のマルチプレクサと第２のマルチプレクサとを含み、前記第１の適応可能ポートを適応させる処理は、前記マルチメディアデータが第１種のものである場合に前記受信したデータを第１のマルチプレクサに転送し、かつ前記マルチメディアデータが第２種のものである場合に前記受信したデータを第２のマルチプレクサに転送し、
前記第１のマルチプレクサは、アナログマルチメディア信号フォーマットを有する前記第１種のマルチメディアデータを多重化するためのアナログマルチプレクサであり、前記第２のマルチプレクサは、デジタルマルチメディア信号フォーマットを有する前記第２種のマルチメディアデータを多重化するためのデジタルマルチプレクサである、
ことを特徴とする方法。
【請求項１１】
前記第１の適応可能ポートで受信した前記マルチメディアデータの前記マルチメディア信号フォーマットを検出する処理は、
前記コネクタ要素のキーイングの検出、
前記マルチメディア信号フォーマットの間接電気的検出と、
前記コネクタ要素の１つ又はそれよりも多くの接点の事前係合と、
のうちの１つ又はそれよりも多くを含むことを特徴とする請求項１０に記載の方法。
【請求項１２】
前記デバイスの前記１つ又はそれよりも多くのポートは、１つ又はそれよりも多くの非適応可能ポートを更に含み、
接続されたマルチメディアデータソースの前記マルチメディア信号フォーマットを検出することなく、かつ前記適応可能ポートを前記接続されたマルチメディアデータソースの該マルチメディア信号フォーマットに適応させることなく非適応可能ポートにおいてマルチメディアデータを処理する処理を更に含むことを特徴とする請求項１０に記載の方法。
【請求項１３】
複数の電気接点を含み、ケーブルの接続のためのコネクタ要素のプラグを受け入れるレセプタクルを各々が含む１つ又はそれよりも多くの適応可能ポートを含む１つ又はそれよりも多くのポートと、
前記１つ又はそれよりも多くの適応可能ポートで１つ又はそれよりも多くの接続されたマルチメディアデータソースから受信したマルチメディアデータを含むデータを処理する前記１つ又はそれよりも多くの適応可能ポートの各々のための適応可能ポートデバイスと、
前記１つ又はそれよりも多くの適応可能ポートからアナログマルチメディア信号フォーマットを有する第１種のマルチメディアデータを受信するアナログマルチプレクサである第１のマルチプレクサと、
前記１つ又はそれよりも多くの適応可能ポートからデジタルマルチメディア信号フォーマットを有する第２種のマルチメディアデータを受信するデジタルマルチプレクサである第２のマルチプレクサと、を備えるデバイスであって、
各々の適応可能ポートのための前記適応可能ポートデバイスは、
前記適応可能ポートが接続されたマルチメディアデータソースのマルチメディア信号フォーマットを検出する、適応可能ポートのための信号フォーマット検出器と、
前記接続されたマルチメディアデータソースの検出されたマルチメディア信号フォーマットの種類に基づいて、複数のマルチプレクサのうちの１つに前記データを転送するスイッチと、を含み、
前記デバイスが、
現在接続されている各々の適応可能ポートを、前記接続されたマルチメディアデータソースの前記検出されたマルチメディア信号フォーマットに適合するように適応させる、
ように作動可能であることを特徴とするデバイス。
【請求項１４】
前記１つ又はそれよりも多くの適応可能ポートの各々が、同じレセプタクルタイプを有することを特徴とする請求項１３に記載のデバイス。
【請求項１５】
前記レセプタクルタイプは、マルチメディアデータの受信又は送信のための標準レセプタクルタイプであることを特徴とする請求項１４に記載のデバイス。
【請求項１６】
前記レセプタクルタイプは、高精細マルチメディアインタフェース（Ｒ）に適合するレセプタクルであることを特徴とする請求項１５に記載のデバイス。
【請求項１７】
前記１つ又はそれよりも多くの適応可能ポートの各々で受信したマルチメディアデータを供給する、接続されたマルチメディアデータソースのマルチメディア信号フォーマットを以下の検出処理、すなわち、
コネクタのキーイングの検出と、
マルチメディア信号フォーマットの間接電気的検出と、
前記コネクタの１つ又はそれよりも多くの接点の事前係合と、
のうちの１つ又はそれよりも多くを用いて検出するためのものであることを特徴とする請求項１３に記載のデバイス。
【請求項１８】
前記１つ又はそれよりも多くのポートは、１つ又はそれよりも多くの非適応可能ポートを更に含み、
前記適応可能ポートデバイスが、前記１つ又はそれよりも多くの非適応可能ポートを適応させない、ことを特徴とする請求項１３に記載のデバイス。
【発明の詳細な説明】
【技術分野】
【０００１】
本発明の実施形態は、全般的に電子デバイスの分野に関し、より具体的にはマルチメディアデバイスの適応相互接続に関する。
【背景技術】
【０００２】
電子デバイス、特にエンタテインメントデバイスは、多くの他のデバイスと相互接続することができる。例えば、受信システム又は受信デバイス（受信データを使用するか、格納するか、又は再送信することができる）は、タイプ及び機能が大幅に異なる様々なマルチメディアデータソースと相互接続することができる。
【０００３】
様々なデータソースは、データを様々なフォーマットで供給することができる。一例では、デバイスは、オーディオデータ及びビデオデータを含むマルチメディアデータと、特に、コンポジットビデオデータ、コンポーネントビデオデータ、ＨＤＭＩ（登録商標）（２００９年５月２８日に出された高精細マルチメディアインタフェース１．４規格）データフォーマット、ＭＨＬ（登録商標）（モバイル高精細リンク）データフォーマットを含む様々なフォーマットでの高精細ビデオデータとを供給することができる。
【先行技術文献】
【非特許文献】
【０００４】
【非特許文献１】「高性能シリアルバス規格（Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ）」、１３９４〜１９９５ページ、ＩＥＥＥ、相補、１９９６年８月３０日公開
【発明の概要】
【発明が解決しようとする課題】
【０００５】
しかし、異なるマルチメディア信号フォーマットを利用するデバイスは、各マルチメディア信号フォーマットをサポートするために複数の異なるタイプのコネクタを一般的に利用する。そのようなマルチメディア信号フォーマットをサポートする試みは、各デバイス内に益々多くの可能なコネクタタイプを含める結果をもたらしたが、一方で各デバイスは、様々なポートに対して限られた量の物理空間を有するのみである場合がある。
【課題を解決するための手段】
【０００６】
本発明の実施形態は、一般的にマルチメディアデバイスのための適応デバイス相互接続に関する。
【０００７】
本発明の第１の態様において、装置は、コネクタ要素のプラグを受け入れて複数の電気接点を含むレセプタクルを各々が含む１つ又はそれよりも多くの適応可能ポートを含む１つ又はそれよりも多くのポートを含む。装置は、更に、１つ又はそれよりも多くの適応可能ポートで受信したマルチメディアデータを含むデータを処理する適応可能ポートデバイスを含み、適応可能ポートデバイスは、適応可能ポートの各々で受信したマルチメディアデータのマルチメディア信号フォーマットを検出し、かつ適応可能ポートに対して検出されたマルチメディア信号フォーマットに適合するように適応可能ポートの各々を適応させることができる。
【０００８】
本発明の第２の態様において、方法の実施形態は、１つ又はそれよりも多くの適応可能ポートを含む１つ又はそれよりも多くのポートを有するデバイスの適応可能ポートのためのレセプタクルにコネクタ要素を受け入れる段階と、適応可能ポートにおいてコネクタ要素を通じてマルチメディアデータを含むデータを受信する段階とを含む。本方法は、更に、適応可能ポートで受信したマルチメディアデータのマルチメディア信号フォーマットを検出する段階と、検出されたマルチメディア信号フォーマットに従って適応可能ポートを適応させる段階とを含む。
【０００９】
本発明の実施形態は、限定ではなく例として、同じ参照番号が類似の要素を指す添付図面の図内に示している。
【図面の簡単な説明】
【００１０】
【図１】適応ポート相互接続に備えるデバイスの実施形態の背面パネルの図である。
【図２】マルチメディアデバイス又はマルチメディアシステムに対する接続の図である。
【図３】適応ポート相互接続に備えるマルチメディアデバイス又はマルチメディアシステムの実施形態に対する接続の図である。
【図４Ａ】適応ポート相互接続を提供するデバイスの実施形態の図である。
【図４Ｂ】適応ポート相互接続と非適応相互接続とを提供するデバイスの実施形態の図である。
【図５】適応ポート相互接続のための処理の実施形態の図である。
【図６】適応可能ポートのためのレセプタクルとの１つ又はそれよりも多くのキーを有するコネクタの接続の実施形態の図である。
【図７】適応ポートレセプタクルと回路基板を通る通路とを含むデバイスの実施形態の図である。
【図８】１つ又はそれよりも多くのキーを含む適応ポートコネクタの実施形態の図である。
【図９】キー式コネクタのための適応ポートレセプタクルを含むデバイスの実施形態の図である。
【図１０】キー式接続のための適応ポートレセプタクルの実施形態の図である。
【図１１】適応ポートシンク又はリピータユニットの実施形態の図である。
【図１２】適応ポート相互接続を提供する装置の実施形態の図である。
【発明を実施するための形態】
【００１１】
本発明の実施形態は、一般的にマルチメディアデバイスのための適応相互接続に関する。
【００１２】
一部の実施形態において、装置、システム、又は方法は、マルチメディアソースに対する適応デバイス相互接続に備える。一部の実施形態において、複数のケーブル接続からビデオデータを含むマルチメディアデータを受信することができる装置又はシステムは、複数の適応相互接続を提供し、複数の適応相互接続の各々は、同じポートレセプタクルを含む。一部の実施形態において、マルチメディアデータは、オーディオデータを更に含み、オーディオデータは、１チャンネルオーディオ又は多チャンネル（左右のチャンネル等）オーディオとすることができる。一部の実施形態において、デバイス又はシステム内のそのようなポートレセプタクルには複数のマルチメディアデータデバイスのいずれかを接続することができ、デバイス又はシステムは、デバイス又はシステムの接続に応答して適応する。
【００１３】
近年、デジタルＨＤＭＩコネクタは、世界中でエンタテインメントデバイス上で使用される群を抜いて一般的な単一のタイプのケーブルコネクタとなった。テレビジョンの形状因子が略立方体から薄いフラットパネル設計に進歩する時に、コネクタ区域に利用可能な空間は、次第に小さくなっている。
【００１４】
更に、エンタテインメントデバイスの設計は、ユーザの「製品開封直後の」使用体験が可能な限り問題のないものであるように、ユーザに対して必要なケーブル接続手順を簡素化しようと試みる場合がある。
【００１５】
しかし、それとは逆に、エンタテインメントデバイス製造業者は、当面の間、古いビデオソース、オーディオソース、及びデータソースへのインタフェースをサポートするために、いくつかの「従来の」アナログ入力信号フォーマットをサポートすることを強いられる。
【００１６】
一部の実施形態において、単一タイプのコネクタを利用するデバイスが、他のデバイスとの適応デバイス相互接続に備える。例えば、エンタテインメントデバイスは、ＨＤＭＩコネクタのみを含むケーブル接続を提供する場合がある。一部の実施形態において、コネクタの信号機能をエンタテインメントデバイス端部において全てがＨＤＭＩコネクタを有する様々なアダプタケーブルを用いて用途変更することができる。
【００１７】
しかし、複数の単一コネクタの使用は、正しい接続を提供するために、一般的に接続のあらゆる適応化を必要とする。一部の実施形態において、デバイスは、接続をマルチメディアデータソースにおける適切な信号フォーマットに自動的に適応させる１つ又はそれよりも多くの処理を利用する。一部の実施形態において、システム又は装置は、マルチメディアデータソースによってシステム又は装置に示されている信号フォーマットのタイプを自動的に検出し、シンクデバイス又はシステムの受信機をこの信号フォーマットを受け入れるようにユーザの介入なしに再構成することによって接続を適応させる論理又は回路を含む。
【００１８】
一部の実施形態において、論理又は回路は、以下のうちの１つ又はそれよりも多くを用いてマルチメディアデータソースに対して構成することができる。
【００１９】
（１）コネクタの「機械的又は他のキーイング」。一部の実施形態において、ケーブルコネクタは、マルチメディアデータフォーマットの識別を提供するキーイングを含み、受信デバイスは、少なくとも部分的にキーイングに基づいてマルチメディアデータフォーマットを識別する。
【００２０】
（２）マルチメディア信号フォーマットの「間接的電気指示」。一部の実施形態において、マルチメディアデータソースは、マルチメディア信号フォーマットの検出を可能にする電気信号を供給することができ、受信デバイスは、間接的電気指示に少なくとも部分的に基づいてマルチメディア信号フォーマットを識別する。一部の実施形態において、装置又はシステムは、例えば、コネクタピンを所定の電位まで引き上げるか又は引き下げるプルアップ抵抗又はプルダウン抵抗の接続からもたらされるインピーダンス又は電圧を検出することによって作動させることができる。
【００２１】
（３）コネクタの「事前係合接点」。一部の実施形態において、接続は、１つ又はそれよりも多くの事前係合接点を含むことができ、事前係合接点は、他の接点が係合する前に係合するように、複数の嵌合平面内等で物理的に構造化される。一例では、コネクタは、あらゆる荷電接点が係合する前に接地接続を確立するために、他の接点の前に接地接点が係合するように構造化することができる。第２の例では、接続は、電気接点の係合の前に、コネクタのキーイング等によって係合するスイッチを含むことができ、これは、例えば、電気接続を完了する前に、行われている接続に関してデバイスに通知するように機能することができる。
【００２２】
一例において、接続は、コネクタに対してある一定の深さ（例えば、１０ｍｍ）にあるレセプタクルを利用することができる。この例では、レセプタクルは、レセプタクルの全深さまでのコネクタの挿入を完了する前に、レセプタクル内のより浅い深さ（例えば、５ｍｍ）において１つ又はそれよりも多くの事前係合接点に係合することができる。
【００２３】
ポートでの接続では、電力は、例えば、モバイルソースデバイス（スマート電話、モバイルインターネットデバイス、又は他のモバイルデバイス）が、充電電圧をモバイルソースデバイスに供給するシンクデバイス（テレビジョン、モニタ、ＡＶ受信機、又はプロジェクタ等）に連結される状況のようなある一定の状態で印加することができる。しかし、デバイスへの間違った電力印加は、デバイスに潜在的な損傷をもたらす場合がある。一部の実施形態において、ポートとの接続が行われる時に、シンクデバイスは、上述の処理のうちの１つを用いてポートに何が接続されているのかを決定するまでソースデバイスが保護される状態（安全モード又は中立状態と呼ぶ場合がある）にポートを維持する。一部の実施形態において、ポートは、間違った電力印加を阻止するのを助けるインターロック機構を含む。
【００２４】
一部の実施形態において、マルチメディア信号フォーマットの検出は、検出処理の組合せを利用することができる。一部の実施形態において、受信デバイスには、信号フォーマットを検出する必要を第１の処理によって通知することができ、受信デバイスは、第２の処理を用いてマルチメディア信号フォーマットを識別することができる。一例において、ケーブル接続の特定のキーイングは、直接検出又は間接電気的検出等によってマルチメディア信号フォーマットを検出されることになることを受信デバイス又は受信システムに通知することができる。
【００２５】
一部の実施形態において、装置又はシステムは、「コネクタトレード」を可能にし、それによって装置又はシステムは、従来のコネクタを最新のコネクタと「トレードオフ」することができる。一例において、装置又はシステムは、付加的な物理的コネクタを必要とせずに、従来のアナログ接続を最新のデジタルＨＤＭＩ接続又はＭＨＬ接続に更新する。
【００２６】
一部の実施形態において、ソースデバイスとシンクデバイスの間の接続のためのケーブルは、ケーブルのためのコネクタと結合されるか又はその一部である１つ又はそれよりも多くのキーを含む。一部の実施形態において、１つ又はそれよりも多くのキーは、ケーブル接続の誤嵌合を阻止するように機能し、シンクデバイスとのある一定の接続は、ソースデバイスに適合していない場合がある。一部の実施形態において、１つ又はそれよりも多くのキーは、シンクデバイスの１つ又はそれよりも多くのスイッチに係合することができ、ある一定のタイプのソースデバイスを示している。
【００２７】
本明細書の目的では、「キー」は、コネクタの又はコネクタからのあらゆる物理的延長部を含み、デバイスの一部分の中にコネクタのプラグとして挿入されるように配置されるキーは、ポートレセプタクル又はソケット内に挿入される。
【００２８】
一部の実施形態において、シンクデバイスは、ポートレセプタクルユニット（又はソケット）を含み、ポートレセプタクルユニットは、その中に接続されるコネクタの１つ又はそれよりも多くのキーの受け入れのための１つ又はそれよりも多くの通路を有する。一部の実施形態において、シンクデバイスは、レセプタクルユニット内に接続されるコネクタの１つ又はそれよりも多くのキーによって係合する１つ又はそれよりも多くのスイッチを更に含む。
【００２９】
本明細書の目的では、「通路」は、あらゆる孔、ノッチ、凹み、又はデバイスの一部分の他の成形部を含むことができ、通路は、コネクタのキーが通路内又は通路を通って通過するように配置される。
【００３０】
本明細書の目的では、「スイッチ」は、コネクタの適切なキーの対応する通路内への挿入によって係合するあらゆるタイプの要素である。スイッチは、キーによってプッシュオン又はプッシュオフにされる物理的スイッチを含むことができる。更に、スイッチは、キーがシンクデバイス内の光学信号を遮蔽する時に係合するスイッチのような光学スイッチを含むことができる。
【００３１】
図１は、適応ポート相互接続に備えるデバイスの実施形態の背面パネルを示している。一部の実施形態において、複数のフォーマットにあるマルチメディアデータを受信するシンク又はリピータデバイス１００は、例えば、複数のＨＤＭＩポートレセプタクル１１０を含むビデオ及び他のデータの受信のための複数のポートを含むことができる。一部の実施形態において、複数のポートは、複数の異なるマルチメディア信号フォーマットに対して利用することができる１つ又はそれよりも多くの適応ポート１２０を含むことができ、デバイス１００は、適応ポート１２０を受信マルチメディア信号フォーマットに準拠するように適応させるように作動する。一部の実施形態において、デバイス１００は、ポートの定義されたマルチメディア信号フォーマットの下で標準ポートとして作動する１つ又はそれよりも多くの非適応ポート１３０を含むことができる。この図では、非適応ポート１３０は、ＨＤＭＩポートとして作動し、それに対して適応ポート１２０は、ＨＤＭＩを含む複数の異なるタイプのポートとして作動する。一部の実施形態において、デバイス１００は、この図に示す左右のオーディオ入力のための２つの入力ジャックのような個別のオーディオ入力１４０を更に含むことができる。一部の実施形態において、適応ポート１２０は、オーディオを含まないマルチメディアフォーマットの受信等においてビデオのみの入力を受信することができ、オーディオデータは、個別のオーディオ入力１４０において受信することができる。
【００３２】
図２は、マルチメディアデバイス又はマルチメディアシステムに対する接続の図である。この図では、デバイス２００は、異なるマルチメディアフォーマット２２０の受信のための複数の接続を含むことができる。デバイス２００は、例えば、オーディオデータ２２１（一例として、ビデオデータと一緒のオーディオデータの供給を含まないマルチメディア規格に使用される）、コンポーネントビデオデータ２２２（コンポーネント−１及びコンポーネント−２として示す）、コンポジットビデオデータ２２４（コンポジット−１及びコンポジット−２）、Ｓビデオデータ２２６、ＨＤＭＩ２２８、及びＭＨＬ２３２を含むマルチメディアデータの受信及び処理のためのマルチメディアプロセッサ２０５を含むことができる。ＨＤＭＩは、ポートデバイス２１０において受信することができ、ＨＤＭＩデータ２５０を供給する複数のＨＤＭＩマルチメディアデータソース２２８（ＨＤＭＩ−１、ＨＤＭＩ−２、及びＨＤＭＩ−３）及びＭＨＬマルチメディアデータソース２３２（ＭＨＬ−１）を含むことができる。
【００３３】
図３は、適応ポート相互接続に備えるマルチメディアデバイス又はマルチメディアシステムの実施形態の接続の図である。一部の実施形態において、デバイス３００は、適応ポート相互接続の使用によって異なるマルチメディアデータフォーマット３２０の受信のための複数の接続を含むことができる。一部の実施形態において、デバイス３００は、マルチメディア信号フォーマット３５０（この図ではオーディオ、コンポーネント、コンポジット、Ｓビデオ、及びＨＤＭＩ）の受信及び処理のためのマルチメディアプロセッサ３０５を含むことができ、更に適応可能マルチメディアデータポートデバイス（ａｎｙポートデバイスと呼ぶ場合がある）３１０を含むことができる。一部の実施形態において、適応ポートデバイス３１０は、受信データソースの各々が同じタイプのポートを利用することができ、同時にプロセッサ３０５が、マルチメディアデータソースがデバイスのどのポートを使用するかに関わらず、適応ポートデバイス３１０から適切なデータフォーマットを受信するように、デバイスのポートを複数の異なるマルチメディア信号フォーマットに適応させるように作動する。従って、一部の実施形態において、ユーザは、示すコンポーネントビデオデータ３２２、コンポジットビデオデータ３２４、Ｓビデオデータ３２６、ＨＤＭＩマルチメディアデータ（ＨＤＭＩ−１  ３２８及びＨＤＭＩ−２  ３２９）、及びＭＨＬマルチメディアデータ３３０のようなマルチメディアデータソースからケーブルを引いて、このケーブルを適応ポートデバイス３１０における適応ポートのうちのいずれかに接続することができ、適応ポートデバイスは、ポートを受信マルチメディア信号フォーマットに対して必要とされる通りに適応させる。一部の実施形態において、ケーブル接続は、ビデオデータと一緒のオーディオデータの供給を可能にしないマルチメディアデータフォーマットとの併用ための個別のオーディオ接続３２１を更に含む。
【００３４】
図４Ａは、適応ポート相互接続を提供する適応ポートデバイスの実施形態の図である。この図では、適応ポートデバイス４１０は、この図ではオーディオデータ４２１、コンポーネントビデオデータ４２２、コンポジットビデオデータ４２４、Ｓビデオデータ４２６、ＨＤＭＩマルチメディアデータ（ＨＤＭＩ−１  ４２８及びＨＤＭＩ−２  ４３０）、及びＭＨＬマルチメディアデータ４３２として示す受信マルチメディア信号フォーマット４２０を複数の適応ポートのうちのいずれかにおいて受信することができるように、複数の適応ポートを適応させるように作動可能である。一部の実施形態において、各ポートは、連結されたマルチメディアデータソースのマルチメディア信号フォーマットを検出し、かつポートを検出されたマルチメディア信号フォーマットの受信に適応させるように作動する信号フォーマット検出器及びスイッチ４１２を含む。この図では、適応ポートデバイス４１０は、各々が信号フォーマット検出器及びスイッチ４１２を含む６つのポートを含む。一部の実施形態において、ビデオデータと一緒のオーディオデータの供給を可能にしないマルチメディアフォーマットにおけるオーディオデータを含むことができるオーディオデータは、オーディオポート４１１において受信することができる。一部の実施形態において、適応ポートデバイス４１０は、適応ポートデバイス４１０の要素の１つ又は複数の作動を制御し、かつデバイスで受信したマルチメディアデータに関するステータス情報を維持する制御及びステータスモジュール４１５を含む。
【００３５】
一部の実施形態において、複数の適応ポートの各々の適応は、アナログマルチメディアデータのためのアナログマルチプレクサ４１６、又はデジタルマルチメディアデータのためのデジタルマルチプレクサ４１８（この図では、ＨＤＭＩとして示す）のようないくつかのマルチメディアデータを処理するためのマルチプレクサへのアナログマルチメディアデータの誘導を含む。この図には、アナログマルチプレクサ４１６は、６つのポートの各々におけるデータをこの図ではコンポーネントビデオデータ４４２に対する第１の出力、コンポジットビデオデータ４４３に対する第２の出力、及びＳビデオデータ４４４に対する第３の出力として示す３つのアナログマルチメディアデータタイプのうちの１つに対する出力４４０に誘導する６：３マルチプレクサとして示している。一部の実施形態において、出力４４０は、個別のアナログオーディオ出力４４１を更に含むことができる。この図に更に提供しているように、ＨＤＭＩマルチプレクサ４１８は、この図ではＨＤＭＩ−１  ４４５及びＨＤＭＩ−２  ４４６として示す２つのＨＤＭＩ出力の一方にマルチメディアデータを誘導する６：２マルチプレクサとして示している。しかし、実施形態は、様々なタイプのマルチメディアデータに対するいずれかを特定の数のマルチプレクサに、又はマルチメディアデータに対するいずれかを特定の数の出力に限定しない。
【００３６】
一部の実施形態において、ポートデバイス４１０は、ＨＤＭＩデータのようなデータの他のデバイスへの出力、並びにそのようなデータの入力を可能にする出力ポート又は双方向ポート４１３を更に含むことができる。例えば、ポートデバイス４１０は、別のデバイスに向けられたデータストリームのような出力データ４４７を受信して、そのようなデータの出力４３４に向けて出力／双方向ポート４１３を利用することができる。
【００３７】
一部の実施形態において、ポートデバイスは、より単純なデバイスを可能にするために、適応ポートに加えて１つ又はそれよりも多くの非適応ポートを含むことができる。図４Ｂは、適応ポート相互接続と非適応ポート相互接続とを提供する単純な適応ポートデバイスの実施形態の図である。
【００３８】
この図では、適応ポートデバイス４６０は、コンポーネントビデオデータ４７２、コンポジットビデオデータ４７４、Ｓビデオデータ４７６、及びＨＤＭＩ又はＭＨＬ（図示せず）である受信マルチメディア信号フォーマット４７０を１つ又はそれよりも多くの適応ポートと結合することができるように複数の適応ポートを適応させるように作動可能であり、一方、このデバイスは、ＨＤＭＩデータにしか使用することができないＨＤＭＩポートのような１つ又はそれよりも多くの非適応ポートを更に含む。この図では、非適応ポートにおいて、ＨＤＭＩマルチメディアデータ（ＨＤＭＩ−１  ４７８及びＨＤＭＩ−２  ４８０）及びＭＨＬマルチメディアデータ４３２を受信することができる。一部の実施形態において、各適応ポートは、連結されたマルチメディアデータソースのマルチメディア信号フォーマットを検出し、かつポートを検出したマルチメディア信号フォーマットの受信に適応させるように作動する信号フォーマット検出器及びスイッチ４６２を含む。この図では、適応ポートデバイス４６０は、各々が信号フォーマット検出器及びスイッチ４６２を含む３つの適応ポートを含む。この図では、デバイス４６０は、各々がＨＤＭＩポート４６４を含む３つの非適応ポートを更に含む。一部の実施形態において、ビデオデータと一緒のオーディオデータの供給を可能にしないマルチメディアフォーマットにおけるオーディオデータを含むことができるオーディオデータ４７１は、オーディオポート４６１において受信することができる。一部の実施形態において、適応ポートデバイス４６０は、適応ポートデバイス４６０の要素の１つ又は複数の作動を制御し、かつデバイスで受信したマルチメディアデータに関するステータス情報を維持する制御及びステータスモジュール４６５を含む。
【００３９】
一部の実施形態において、複数の適応ポートの各々の適応は、アナログマルチメディアデータのためのアナログマルチプレクサ４６６、又はデジタルマルチメディアデータのためのデジタルマルチプレクサ４６８（この図では、ＨＤＭＩとして示す）のようないくつかのマルチメディアデータを処理するためのマルチプレクサへのアナログマルチメディアデータの誘導を含む。この図では、アナログマルチプレクサ４６６は、適応ポートの各々におけるデータをこの図ではコンポーネントビデオデータ４９２に対する第１の出力、コンポジットビデオデータ４９３に対する第２の出力、及びＳビデオデータ４９４に対する第３の出力として示す３つのアナログマルチメディアデータタイプのうちの１つを含むことができる出力４９０に誘導する３：３マルチプレクサとして示している。一部の実施形態において、出力４９０は、個別のアナログオーディオ出力４９１を更に含むことができる。この図に更に提供しているように、ＨＤＭＩマルチプレクサ４６８は、適応ポート又は非適応ポートからのマルチメディアデータをこの図ではＨＤＭＩ−１  ４９５及びＨＤＭＩ−２  ４９６として示す２つのＨＤＭＩ出力の一方に誘導する６：２マルチプレクサとして示している。
【００４０】
一部の実施形態において、ポートデバイス４６０は、ＨＤＭＩデータのようなデータの他のデバイスへの出力、並びにそのようなデータの入力を可能にする出力ポート又は双方向ポート４６３を更に含むことができる。例えば、ポートデバイス４６０は、別のデバイスに向けられたデータストリームのような出力データ４９７を受信して、そのようなデータ４８４の出力に向けて出力／双方向ポート４６３を利用することができる。
【００４１】
図５は、適応ポート相互接続５００のための処理の実施形態を示している。一部の実施形態において、第１の送信デバイスは、ケーブルを通じて受信デバイスの第１のポートコネクタに接続される５０５。一部の実施形態において、受信デバイスは、１つ又はそれよりも多くの適応ポートと１つ又はそれよりも多くの非適応ポートとを含むことができる。第１のポートコネクタが適応ポートコネクタではない場合は５１０、得られる相互接続は、非適応ＨＤＭＩポートを通じたＨＤＭＩデータ受信のような標準マルチメディアデータ相互接続である５１５。
【００４２】
第１のポートコネクタが適応ポートコネクタである場合は５１０、マルチメディアデータ信号のタイプが検出され５２０、この検出は、コネクタの機械又は他のキーイング５２５、インピーダンス、プルアップ電圧、又はプルダウン電圧の検出のような信号フォーマットの間接電気的検出５３０、及びコネクタの接点の事前係合５３５のうちの１つ又はそれよりも多くを利用する検出を含むことができる。一部の実施形態において、マルチメディア信号フォーマットの検出は、複数の検出処理５２５〜５３５を利用することができる。一部の実施形態において、１つ又は複数の処理がマルチメディア信号フォーマットの検出をもたらさない場合には、結果は、エラー条件とすることができる５３７。
【００４３】
一部の実施形態において、マルチメディア信号フォーマットが認識された場合には、マルチメディアデータ信号が、アナログマルチメディアデータ信号又はデジタル（ＨＤＭＩのような）マルチメディアデータ信号のような特定のタイプのマルチメディアデータ信号であるか否かの決定がある５４０。マルチメディアデータ信号がアナログマルチメディアデータ信号であった場合には、信号は、アナログマルチプレクサに与えることができ５４５、マルチメディア信号は、コンポーネント信号出力５５０、コンポジット信号出力５５５、又はＳビデオ信号出力５６０のような適切な出力にもたらされる。一部の実施形態において、出力は、受信デバイスによって受信されるマルチメディア信号内に埋め込まれたオーディオ信号５５２を更に含むことができる。マルチメディア信号がデジタルマルチメディア信号であった場合には、信号は、デジタルマルチプレクサに与えることができ５６５、マルチメディア信号は、第１のＨＤＭＩ信号出力５７０又は第２のＨＤＭＩ信号出力５７５のような適切な出力にもたらされる。
【００４４】
図６は、適応可能ポートのためのレセプタクルとの１つ又はそれよりも多くのキーを有するコネクタの接続の実施形態の図である。この図では、コネクタ６００は、シェル６０５と、複数の電気接点を有するプラグ６１５とを含むことができ、プラグは、デバイス６５０のポートレセプタクル又はソケット６５５と嵌合して、ある一定の対応する電気接点に係合するようになっており、図示のレセプタクル６５５は、デバイス６５０のある一定のプレート６６０内に設けられる。一部の実施形態において、コネクタ６００は、ある一定の接続を阻止する目的で、及びデバイス６５０においてある一定の切り換えを可能にするために１つ又はそれよりも多くのキー６１０を含むことができる。
【００４５】
一部の実施形態において、ポートが適応可能ポートであり、かつコネクタ６００が、ケーブルが検出及び適応を必要とするマルチメディアデータ信号を転送するためのものであるような状況において、デバイス６５０のポートがコネクタ６００を受け入れるように意図されている場合には、コネクタは、レセプタクルに適合することができ、キーイングは、ある一定のデータを提供する。例えば、デバイス６５０のプレート６６０は、コネクタ６００の１つ又はそれよりも多くのキー６１０を受け入れるために、プレート６６０を通る１つ又は複数の通路６６５を含むことができ、デバイス６５０内へのコネクタ６００の挿入を可能にする。一部の実施形態において、デバイスは、この図では回路基板６７５に接続したスイッチ６７０として示す１つ又はそれよりも多くのスイッチ６７０を含むことができる。一部の実施形態において、１つ又はそれよりも多くのスイッチは、ポートレセプタクル６５５の一部を形成することができる。この図では、コネクタ６００とデバイス６５０のポートとが対応する場合には、１つ又はそれよりも多くのキー６１０は、１つ又はそれよりも多くのスイッチ６７０に係合することになる。
【００４６】
一部の実施形態において、適応可能ポートであるポートのレセプタクル６５５内へのコネクタ６００の挿入、及びそれに付随するコネクタ６００の１つ又はそれよりも多くのキー６１０による１つ又はそれよりも多くのスイッチ６７０の係合は、マルチメディアデータソースの検出を可能にするある一定の情報を提供する結果をもたらすことになる。一部の実施形態において、マルチメディアデータソースの検出は、インピーダンス、プルアップ電圧、又はプルダウン電圧の検出等による信号フォーマットの間接的な電気指示を利用することができる。一部の実施形態において、マルチメディアデータソースの検出は、他の接点が係合する前にプラグ６１５内のある一定の接点がポートレセプタクル６５５の接点に係合するなどの接点の事前係合を利用することができる。
【００４７】
一部の実施形態において、適応可能ポートレセプタクルは、キーのための通路６６５を含むことになるが、それに対して非適応可能ポートレセプタクルは、そのような通路６６５を含むことにはならない。一部の実施形態において、コネクタ６００の１つ又はそれよりも多くのキー６１０の存在により、ケーブルは、検出及び適応化を必要とする信号フォーマットを伝達するケーブルとして識別することができる。一部の実施形態において、利用することができるキーイング及びレセプタクルは、検出及び適応を必要とするマルチメディアデータ信号フォーマットを伝達するケーブルが、適応可能ポートレセプタクルとしか嵌合せず、一方、標準ポート（この例ではＨＤＭＩポート）のフォーマットに適合する標準マルチメディア信号フォーマット（ＨＤＭＩ等）を伝達するケーブルが、適応可能ポートレセプタクル又は非適応可能ポートレセプタクルのいずれにも嵌合することができることを保証する。
【００４８】
一部の実施形態において、デバイス６５０は、オーディオデータ６８０の受信のための１つ又は複数のオーディオポートを更に含む。この例では、オーディオポートは、第１のレセプタクル（左チャンネルレセプタクル等）６８２と、第２のレセプタクル（右チャンネルレセプタクル等）６８４とを含む。他の例では、デバイス６５０は、オーディオ（モノラルオーディオ等）のための単一のチャンネル及びレセプタクルを含むことができ、又はステレオジャック接続のような単一のレセプタクル内に組み込まれた複数のチャンネルを含むことができる。一部の実施形態において、１つ又は複数のオーディオポートは、ソースデバイスから１つ又はそれよりも多くのオーディオケーブル６７５を通じて供給されるオーディオ信号を受信することができる。
【００４９】
図７は、適応ポートレセプタクルと回路基板を通る通路とを含むデバイスの実施形態の図である。一部の実施形態において、デバイス７５０は、コネクタ７００の１つ又はそれよりも多くのキー７１５を受け入れる通路７６５を有するプレート７６０内に設けられたポートレセプタクル又はソケット７５５を含み、コネクタは、複数の電気接点を有するプラグ７１５を更に含み、プラグは、デバイス７５０のポートレセプタクル又はソケット７５５と嵌合するように意図している。一部の実施形態において、回路基板７７５は、１つ又は複数のキー７１０の通過のためのノッチ又は孔７８０を含むことができ、従って、プレート７６０に対して基本的に平行である。一部の実施形態において、デバイス７５０内へのコネクタのキーの挿入を検出するために、回路基板７７５上に１つ又はそれよりも多くのスイッチ７７０を取り付けることができ、又は１つ又はそれよりも多くのスイッチ７７０は、ポートレセプタクル７５５の一部とすることができる。
【００５０】
図８は、１つ又はそれよりも多くのキーを含むコネクタの実施形態の図である。この図では、コネクタ８００は、ケーブル８０５の端部に接続される。コネクタ８００は、シェル８１０と、複数の電気接点を通じたポートレセプタクルとの接続のためのプラグ８２０とを含むことができる。一部の実施形態において、コネクタ８００は、ある一定の接続を阻止するための使用及びある一定の接続切り換えを可能にするための使用のための１つ又はそれよりも多くのキー８１５を含む。
【００５１】
キーイングは、形状及び位置が異なる場合があるが、図示のように、キー８１５は、コネクタ８００がデバイスのポートレセプタクル内に挿入される時にデバイスの通路内に挿入されるように、かつ１つ又は複数のキー８１５に対応する通路が存在しない場合にデバイス内への挿入を阻止するようにプラグ８２０に即して設計される。一部の実施形態において、システムは、マルチメディアデータソースデバイスの検出においてプラグのキーイングを利用する。
【００５２】
図９は、キー式コネクタに対する適応ポートレセプタクルを含むデバイスの実施形態の図である。この図では、デバイス９００は、ポートレセプタクルユニット又はポートレセプタクル要素９１０が設けられるプレート又は壁９０５を含む。ポートレセプタクルユニット９１０は、コネクタのプラグの電気接点に係合する複数の電気接続部又は電気ピンを含むことができるポートレセプタクル９２０を含む。デバイス９００は、そのようなレセプタクルの群のような複数のレセプタクル９２５を含むことができる。一部の実施形態において、デバイスは、１つ又はそれよりも多くの適応ポートレセプタクルと１つ又はそれよりも多くの非適応ポートレセプタクルとを含むことができる。一部の実施形態において、ポートレセプタクルユニット９１０は、１つ又はそれよりも多くのコネクタキーの受け入れのための１つ又はそれよりも多くの通路９１５を含む。一部の実施形態において、通路は、キーイングが通路９１５に適合しない場合には、ある一定のコネクタが挿入されるのを許容することができない。一部の実施形態において、デバイス９００は、特定のコネクタキーイングに依存して有効にすることができるか又は有効にすることができない１つ又はそれよりも多くのスイッチを含む。一部の実施形態において、デバイス９００は、オーディオデータの受信のための１つ又はそれよりも多くのオーディオポート９４０を更に含むことができる。
【００５３】
図１０は、キー式接続のための適応ポートレセプタクルの実施形態の図である。この図では、ポートレセプタクルユニット１０００は、例えば、ケーブルのＨＤＭＩ対応プラグに対するＨＤＭＩ対応レセプタクルのような特定のプラグに対するポートレセプタクル１０１０を含む。一部の実施形態において、レセプタクルユニット１０００は、１つ又はそれよりも多くのコネクタキーの受け入れのための１つ又はそれよりも多くの通路１００５も含む。一部の実施形態において、１つ又はそれよりも多くのキーを受け入れるのに単一の通路を存在させることができ、一部の実施形態において、１つ又はそれよりも多くのキーに対して複数の通路を存在させることができる。図示の通路は矩形のものであるが、通路及びそれに関連するキーは、必ずしも矩形ではなく、円形又は長円形のような異なる形状のものとすることができる。複数の通路が存在する場合には、これらの通路は、各々が必ずしも同じサイズ及び形状のものではなく、かつ必ずしも均等に分離せず又は互いに一線に配置されない。
【００５４】
一部の実施形態において、通路は、ある一定の寸法の範囲に置かれることを必要とする場合がある。例えば、通路１００５は、レセプタクル１０１０から距離ｙの範囲に位置することを必要とする場合がある。別の例では、通路１００５は、レセプタクル１０１０の縁部からある一定の距離ｘにあることを必要とする場合がある。一部の実施形態において、そのような寸法は、レセプタクルに対するプロトコルに準拠することを必要とする場合があり、又は複数のレセプタクルを互いの近くに配置することを可能にすることを必要とする場合があり、又は通路がレセプタクルユニット１０００におけるネジ又はコネクタと干渉するのを阻止することを必要とする場合がある。例えば、プロトコルは、コネクタサイズに制限を有することができ、その寸法は、コネクタにおけるキーイングが、最大オーバーモールド寸法の範囲にあり、一方、コネクタにおける電気接続と干渉しないことを保証することができる。
【００５５】
図１１は、適応ポートシンク又はリピータユニットの実施形態を示している。この図では、マルチメディアデータの受信のためのシンクユニット又はリピータユニット１１０５は、１つ又はそれよりも多くのキー１１５５を含むことができる適合コネクタ１１６０の受け入れのための適応ポートレセプタクル１１３５を含む。ユニット１１０５は、１つ又はそれよりも多くの他のポートレセプタクル１１３７を含むことができ、付加的なポートは、適応可能ポートと非適応可能ポートとを含むことができる。ポートレセプタクル１１３５は、１つ又はそれよりも多くのキー１１５５が、ユニット１１０５に対応する１つ又はそれよりも多くのパターンに適合する場合に、これらのキー１１５５が係合される１つ又はそれよりも多くのスイッチ１１１５を含むことができる。一部の実施形態において、スイッチ１１１５は、１つ又はそれよりも多くの信号線１１２０を適応可能ポートデバイス又は論理１１２５と接続するように有効にすることができる。一部の実施形態において、１つ又はそれよりも多くの信号線１１２０は、コネクタ１１６０が、検出及びポート適応を必要とするマルチメディア信号フォーマットを供給していることを適応可能ポートデバイス１１２５に通知することができる。
【００５６】
一部の実施形態において、ポートレセプタクル１１３５は、マルチメディア信号フォーマットを検出し、かつ検出されたマルチメディア信号フォーマットに必要とされるようにポートを適応させるために信号フォーマット検出器及びスイッチユニット又は信号フォーマット検出器及びスイッチモジュール１１１０を含むか又はこれらと結合される。信号フォーマット検出器及びスイッチは、適応可能ポートデバイス１１２５と結合することができ、適応可能ポートデバイスは、受信データをマルチメディアプロセッサ１１５０への呈示に向けて処理することができる。更に、シンクユニット又はリピータユニット１１０５は、ユニット１１０５の要素の作動を制御するコントローラ１１４５を含むことができる。
【００５７】
図１２は、適応可能ポート相互接続を提供する装置の実施形態を示している。この図では、本説明に密接に関連しない標準かつ公知であるある一定の構成要素を示していない。一部の実施形態の下では、デバイス１２００は、シンクデバイス又はリピータデバイスとすることができる。
【００５８】
一部の実施形態の下では、デバイス１２００は、データ送信のために相互接続部又はクロスバー１２０５又は他の通信手段を含む。データは、例えば、視聴覚データ及び関連の制御データを含む様々なタイプのデータを含むことができる。デバイス１２００は、情報を処理するために相互接続部１２０５に結合した１つ又はそれよりも多くのプロセッサ１２１０のような処理手段を含むことができる。プロセッサ１２１０は、１つ又はそれよりも多くの物理プロセッサと１つ又はそれよりも多くの論理プロセッサとを含むことができる。更に、プロセッサ１２１０の各々は、複数のプロセッサコアを含むことができる。簡略化のために、相互接続部１２０５を単一の相互接続部として示すが、相互接続部１２０５は、複数の異なる相互接続部又はバスを表すとすることができ、そのような相互接続部への構成要素の接続は異なるとすることができる。図１２に示す相互接続部１２０５は、１つ又はそれよりも多くのいずれかの個別の物理バス、ポイントツーポイント接続、又は適切なブリッジ、アダプタ、又はコントローラによって接続したこれらの両方を表す抽象表現である。相互接続部１２０５は、例えば、システムバス、ＰＣＩバス又はＰＣＩｅバス、ハイパートランスポートアーキテクチャ又は工業規格アーキテクチャ（ＩＳＡ）バス、スモールコンピュータシステムインタフェース（ＳＣＳＩ）バス、ＩＩＣ（Ｉ２Ｃ）バス、又は時に「ファイヤワイヤ」と呼ばれる米国電気電子学会（ＩＥＥＥ）規格１３９４バスを含むことができる。（１９９６年８月３０日に公開された「高性能シリアルバス規格（Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ）」、１３９４〜１９９５ページ、ＩＥＥＥ、及び相補。）
【００５９】
一部の実施形態において、デバイス１２００は、情報とプロセッサ１２１０によって実行される命令とを格納するための主メモリ１２１５としてランダムアクセスメモリ（ＲＡＭ）又は他の動的記憶デバイスを更に含む。主メモリ１２１５は、データストリーム又は部分ストリームにおけるデータを格納するために使用することができる。ＲＡＭメモリは、メモリ内容のリフレッシュ処理を必要とする動的ランダムアクセスメモリ（ＤＲＡＭ）と、内容をリフレッシュ処理することを必要としないが、高価である静的ランダムアクセスメモリ（ＳＲＡＭ）とを含む。ＤＲＡＭメモリは、信号を制御するクロック信号を含む同期動的ランダムアクセスメモリ（ＳＤＲＡＭ）と、拡張データ出力動的ランダムアクセスメモリ（ＥＤＯ  ＤＲＡＭ）とを含むことができる。一部の実施形態において、システムのメモリは、ある一定のレジスタ又は他の専用メモリを含むことができる。デバイス１２００は、プロセッサ１２１０のための静的情報及び命令を格納するための読取専用メモリ（ＲＯＭ）１２２５又は他の静的記憶デバイスを含むことができる。デバイス１２００は、ある一定の要素の記憶のための１つ又はそれよりも多くの不揮発性メモリ要素を含むことができる。
【００６０】
デバイス１２００の相互接続部１２０５には、情報及び命令を格納するためのデータストレージ１２２０を結合することができる。データストレージ１２２０は、磁気ディスク、光ディスク、及びその対応するドライブ、又は他のメモリデバイスを含むことができる。そのような要素は、互いに組み合わせるか、又は個別の構成要素とすることができ、デバイス１２００の他の要素の一部を利用することができる。
【００６１】
デバイス１２００は、相互接続部１２０５を通じて出力ディスプレイ又は呈示デバイス１２４０に結合することができる。一部の実施形態において、ディスプレイ１２４０は、エンドユーザに対して情報又はコンテンツを表示するための液晶ディスプレイ（ＬＣＤ）、プラズマディスプレイ、又はあらゆる他の表示技術を含むことができる。一部の実施形態において、ディスプレイ１２４０は、テレビジョンコンテンツを表示するのに利用することができる。一部の実施形態において、ディスプレイ１２４０は、入力デバイスの少なくとも一部としても利用されるタッチスクリーンを含むことができる。一部の実施形態において、ディスプレイ１２４０は、テレビジョン番組のオーディオ部分を含むオーディオ情報を提供するためのスピーカのようなオーディオデバイスを含むことができ、又は含まない場合がある。
【００６２】
相互接続部１２０５には、１つ又はそれよりも多くの送信機又は受信機１２４５を結合することができる。一部の実施形態において、デバイス１２００は、マルチメディアデータのようなデータの送受信のための１つ又はそれよりも多くのポートレセプタクル１２５５を含むことができる。ポート１２５５は、１つ又はそれよりも多くの適応可能ポートを含むことができ、更に１つ又はそれよりも多くの非適応可能ポートを含むことができる。一部の実施形態において、デバイスは、適応可能ポート相互接続を提供する適応可能ポートデバイス１２５０を含むことができる。ポート１２５５は、ケーブル１２７５に結合したプラグ１２７０を各々が含むコネクタと結合するように構成することができる。一部の実施形態において、デバイス１２００は、相互接続部１２０５に結合したマルチメディアプロセッサ１２３５を含むことができ、マルチメディアプロセッサ１２３５は、ポート１２５５を通じて受信されるマルチメディアデータを含むマルチメディアデータの処理を可能にする。
【００６３】
更に、デバイス１２００は、無線信号を通じたデータ受信のための１つ又はそれよりも多くのアンテナ１２６０を含むことができる。デバイス１２００は、電源、バッテリ、太陽電池、燃料電池、又は電力を供給又は生成するための他のシステム又はデバイスを含むことができる電力デバイス又は電力システム１２９０を含むことができる。電力デバイス又は電源システム１２９０によって供給される電力は、必要に応じてデバイス１２００の要素に分配することができる。
【００６４】
以上の説明では、本発明の完全な理解をもたらすために説明目的で多くの特定の詳細内容を開示した。しかし、当業者には、本発明をこれらの特定の詳細内容の一部なしに実施することができることは明らかであろう。この他としては、公知の構造及びデバイスをブロック図形式に示している。示す構成要素の間には、中間構造を存在させることができる。本明細書に説明又は図示の構成要素は、例示又は説明していない更に別の入力又は出力を有することができる。図示の要素又は構成要素は、あらゆるフィールドの順序変更又はフィールドサイズの修正を含む異なる配列又は順序で配置することができる。
【００６５】
本発明は、様々な処理を含むことができる。本発明の処理は、ハードウエア構成要素によって実施するか又は命令を用いてプログラムされた汎用又は専用プロセッサ又は論理回路にこれらの処理を実施させるのに使用することができるコンピュータ可読命令に具現化することができる。代替的に、処理は、ハードウエアとソフトウエアの組合せによって実施することができる。
【００６６】
本発明の一部分は、本発明による処理を実施するようにコンピュータ（又は他の電子デバイス）をプログラムするのに使用することができるコンピュータプログラム命令が格納されたコンピュータ可読ストレージ媒体を含むことができるコンピュータプログラム製品として達成することができる。コンピュータ可読ストレージ媒体は、フロッピーディスケット、光ディスク、ＣＤ−ＲＯＭ（コンパクトディスク読取専用メモリ）、及び光磁気ディスク、ＲＯＭ（読取専用メモリ）、ＲＡＭ（ランダムアクセスメモリ）、ＥＰＲＯＭ（消去可能プログラマブル読取専用メモリ）、ＥＥＰＲＯＭ（電気的に消去可能なプログラマブル読取専用メモリ）、磁気カード又は光カード、フラッシュメモリ、又は電子命令を格納するのに適する他のタイプの媒体／コンピュータ可読媒体を含むことができるが、これらに限定されない。更に、本発明は、コンピュータプログラム製品としてダウンロードすることができ、プログラムは、遠隔コンピュータから要求コンピュータに転送することができる。
【００６７】
本方法のうちの多くのものをその最も基本的な形態で説明したが、本発明の基本的な範囲から逸脱することなく、これらの方法のうちのいずれかに処理を追加するか又はそこから処理を削除することができ、説明したメッセージのうちのいずれかに情報を追加するか又はそこから情報を低減することができる。当業者には、多くの更に別の修正及び適応化を追加することができることは明らかであろう。特定的な実施形態は、本発明を限定するためではなく、例示するために提供したものである。
【００６８】
要素「Ａ」が要素「Ｂ」に又は要素「Ｂ」と結合されると示した場合には、要素Ａは、要素Ｂに直接的に又は例えば要素Ｃを通じて間接的に結合することができる。本明細書において、構成要素、特徴、構造、処理、又は特性Ａが、構成要素、特徴、構造、処理、又は特性Ｂを「もたらす」と示した場合には、「Ａ」が、「Ｂ」の少なくとも部分的な原因であるが、「Ｂ」をもたらすことに寄与する少なくとも１つの他の構成要素、特徴、構造、処理、又は特性が存在する可能性もあることを意味する。本明細書において、構成要素、特徴、構造、処理、又は特性を含めることが「できる」、「できる場合がある」、又は「できると考えられる」と示した場合には、その特定の構成要素、特徴、構造、処理、又は特性が含まれることを必要としない。本明細書において「ａ」又は「ａｎ」要素に言及した場合には、これは、説明する要素のうちの１つだけしか存在しないことを意味しない。
【００６９】
実施形態は、本発明の実施又は例である。本明細書における「実施形態」、「一実施形態」、「一部の実施形態」、又は「他の実施形態」への参照は、これらの実施形態と関連して説明する特定の特徴、構造、又は特性が、少なくとも一部の実施形態に含まれるが、必ずしも全ての実施形態に含まれるわけではないことを意味する。「実施形態」、「一実施形態」、又は「一部の実施形態」の様々な出現は、必ずしも全てが同じ実施形態を参照しているわけではない。本発明の例示的な実施形態の以上の説明では、開示を効率化し、様々な本発明の態様のうちの１つ又はそれよりも多くの理解を助ける目的で、場合によって本発明の様々な特徴を単一の実施形態、図、又はその説明に一緒にまとめていることを認めるべきである。
【符号の説明】
【００７０】
４１２  信号フォーマット検出器／スイッチ
４１３  出力／双方向ポート
４２０  受信マルチメディア信号フォーマット
４２４  コンポジット−１
４２８  ＨＤＭＩ−１
【図１】
0005802280.tif 000002
【図２】
0005802280.tif 000003
【図３】
0005802280.tif 000004
【図４Ａ】
0005802280.tif 000005
【図４Ｂ】
0005802280.tif 000006
【図５】
0005802280.tif 000007
【図６】
0005802280.tif 000008
【図７】
0005802280.tif 000009
【図８】
0005802280.tif 000010
【図９】
0005802280.tif 000011
【図１０】
0005802280.tif 000012
【図１１】
0005802280.tif 000013
【図１２】
0005802280.tif 000014